(57)【要約】    【課題】  種類を問わず副調理済み食品を衛生的に蓋体内に容易且つ確実に収容でき、食事に際してはその蓋体を副調理済み食品用の食器として利用できるようにする。    【解決手段】  容器本体１とその開口側に着脱自在に装着された蓋体２とを有する蓋付き容器Ａを使用する。そして、容器本体１に主調理済み食品３を、蓋体２に副調理済み食品４を夫々装入し、容器本体１と蓋体２とのうち、少なくとも蓋体２の開口側に、その内部の副調理済み食品４を密封する密封シート１３を剥離可能に貼着する。蓋体２は所定の容積を有し且つ開口側を上にして据え置き可能である。【選択図】    図１
0003113281.tif 000002
【実用新案登録請求の範囲】
【請求項１】
容器本体と該容器本体の開口側に着脱自在に装着された蓋体とを有する蓋付き容器に調理済み食品を装入して成る調理済み食品収容体において、前記容器本体に主調理済み食品を、前記蓋体に副調理済み食品を夫々装入し、前記容器本体と前記蓋体とのうち、少なくとも前記蓋体の開口側に、その内部の前記副調理済み食品を密封する密封シートを剥離可能に貼着したことを特徴とする調理済み食品収容体。
【請求項２】
前記蓋体は所定の容積を有し且つ開口側を上にして据え置き可能であること特徴とする請求項１に記載の調理済み食品収容体。
【請求項３】
前記容器本体と前記蓋体とのうち、少なくとも前記蓋体は、電子レンジ対応型であり、前記密封シート又は前記密封シートと前記蓋体との貼着部に、加熱により内部圧力が上昇したときに開放する圧力解除部を設けたことを特徴とする請求項１又は２に記載の調理済み食品収容体。
【請求項４】
前記主調理済み食品が麺類であり、前記副調理済み食品が前記麺類用のつゆ又はソースであることを特徴とする請求項１〜３に記載の調理済み食品収容体。
【請求項５】
前記主調理済み食品がご飯系食品であり、前記副調理済み食品がそのトッピング用食品であることを特徴とする請求項１〜３に記載の調理済み食品収容体。
【請求項６】
前記主調理済み食品がご飯及び該ご飯に混ぜ合わされるルーであり、前記ご飯及び前記ルーが前記容器本体の下側から前記ルー、前記ご飯の順序で上下方向に層状に装入されていることを特徴とする請求項１〜３に記載の調理済み食品収容体。
【考案の詳細な説明】
【技術分野】
【０００１】
本考案は、使い捨て式等の蓋付き容器に主調理済み食品、副調理済み食品を装入した調理済み食品収容体に関するものである。
【背景技術】
【０００２】
従来、調理済み食品の収容体として、例えば縦長状の容器本体と、この容器本体の開口側に着脱自在に装着された蓋体とを有する使い捨て式の蓋付き容器を使用し、その容器本体にカレーライス、その他の主調理済み食品を入れる一方、蓋体の内側に主調理済み食品の添え物である漬け物（副調理済み食品）をテープ、その他の適宜保持手段を介して取り付けておくようにしたものがある（特許文献１）。
【特許文献１】実用新案登録第３０８９６４２号公報
【考案の開示】
【考案が解決しようとする課題】
【０００３】
例えば、ご飯とルーとを絡ませたカレーライスを容器本体に入れ、そのカレーライスの上に漬け物を直接載せて蓋をした場合には、漬け物までもがカレー味となる。これに比べて、従来の収容構造を利用すれば、蓋付き容器に主調理済み食品、副調理済み食品を装入して収容するにも拘わらず、容器本体側の主調理済み食品と、蓋体側の副調理済み食品とを分離して収容できるため、例えば副調理済み食品が主調理済み食品の味に染まることがなく、主調理済み食品、副調理済み食品を美味しく食べることができる利点がある。
【０００４】
しかし、従来の収容構造は、蓋体の内側に漬け物等の副調理済み食品を取り付けてはいるものの、その副調理済み食品を密封できないため、蓋体側に取り付け得る副調理済み食品の種類が限られる欠点がある。しかも容器の倒れ、振動等により副調理済み食品が蓋体から簡単に脱落する惧れがあり、また蓋体の装着前の段階で副調理済み食品にゴミが付着する等の惧れがある。このため工場生産等で容器、蓋体の夫々に調理済み食品を装入して商品を製造し、その商品を各種の流通過程を経て小売店に配送してから、小売店の店頭で販売するような形態を取ることは困難である。
【０００５】
本考案は、このような従来の問題点に鑑み、種類を問わず副調理済み食品を衛生的に蓋体内に容易且つ確実に収容でき、しかも食事に際してはその蓋体を副調理済み食品用の食器として利用できる調理済み食品収容体を提供することを目的とする。
【課題を解決するための手段】
【０００６】
本考案は、容器本体と該容器本体の開口側に着脱自在に装着された蓋体とを有する蓋付き容器に調理済み食品を装入して成る調理済み食品収容体において、前記容器本体に主調理済み食品を、前記蓋体に副調理済み食品を夫々装入し、前記容器本体と前記蓋体とのうち、少なくとも前記蓋体の開口側に、その内部の前記副調理済み食品を密封する密封シートを剥離可能に貼着している。
【０００７】
前記蓋体は所定の容積を有し且つ開口側を上にして据え置き可能である。前記容器本体と前記蓋体とのうち、少なくとも前記蓋体は、電子レンジ対応型であり、前記密封シート又は前記密封シートと前記蓋体との貼着部に、加熱により内部圧力が上昇したときに開放する圧力解除部を設けることもある。前記主調理済み食品が麺類であり、前記副調理済み食品が前記麺類用のつゆ又はソースであることもある。
【０００８】
前記主調理済み食品がご飯系食品であり、前記副調理済み食品がそのトッピング用食品であることもある。前記主調理済み食品がご飯及び該ご飯に混ぜ合わされるルーであり、前記ご飯及び前記ルーが前記容器本体の下側から前記ルー、前記ご飯の順序で上下方向に層状に装入されることもある。
【考案の効果】
【０００９】
本考案では、蓋体の開口側に密封シートを貼着して、この密封シートにより密封しているので、種類を問わず副調理済み食品を衛生的に蓋体内に容易且つ確実に収容できる。しかも密封シートは剥離可能であるため、食事に際しては密封シートを剥離することによりその蓋体を副調理済み食品用の食器として利用できる。
【考案を実施するための最良の形態】
【００１０】
以下、本考案の各実施例を図面に基づいて詳述する。図１〜図４は容器本体１と蓋体２とを備えた蓋付き容器Ａに、ご飯系食品である主調理済み食品３と、そのトッピング用食品である唐揚げ等の副調理済み食品４とが装入され、熱収縮性フィルム等の包装材５で包装された調理済み食品収容体Ｂの第１の実施例を例示する。
【００１１】
主調理済み食品３はご飯系のもので、例えば海老ピラフ、高菜ピラフ、焼肉ピラフ、チキンライス、ビビンバ、ドライカレー等が適当である。副調理済み食品４は主調理済み食品３に対するトッピング用のもの等であり、主調理済み食品３の種類に応じて唐揚げ４ａ、ハンバーグ４ｂ、カツ等の何れか１種類又は複数種類が適当である。なお、主調理済み食品３、副調理済み食品４は、これら以外のものでもよい。また各調理済み食品３，４は冷凍用の他、常温用、冷蔵用等の非冷凍でもよい。
【００１２】
蓋付き容器Ａは容器本体１と、この容器本体１の開口側に着脱自在に装着された蓋体２とを有し、その容器本体１に主調理済み食品３が、蓋体２に副調理済み食品４が夫々装入されている。
【００１３】
容器本体１は上端側が開口し且つ上側に広がる縦長テーパー円筒状、その他の形状の周壁部６と、この周壁部６の下端部側に固定された底壁部７とを備え、底壁部７が周壁部６の下端の糸尻部８よりも上側に位置する上げ底式になっている。そして、容器本体１の上端の開口縁部９には、開口を密封状に塞ぐ密封シート１０の周縁部１０ａが易剥離接着剤等を介して易剥離可能に貼付され、容器本体１内に主調理済み食品３が密封状に封入されている。
【００１４】
蓋体２は下端側が開口する半球面状、その他の周壁部１１と、この周壁部１１の上端側の上底部１２とを備え、食器として使用し得るだけの所定の容積を有する。そして、上底部１２は開口側を上向きにした状態で食卓等に据え置き可能である。蓋体２の内面の開口側には、副調理済み食品４を密封する密封シート１３の周縁部１３ａが易剥離接着剤等を介して易剥離可能に貼着されている。
【００１５】
容器本体１、蓋体２及び密封シート１０，１３は電子レンジ対応型であって、電子レンジにより各調理済み食品３，４を再加熱できるように、電子レンジに対応可能な合成樹脂材料により構成されている。各密封シート１０，１３には、調理済み食品３，４の再加熱により容器本体１、蓋体２内の内部圧力が上昇したときに開放して、容器本体１側、蓋体２側の破裂等を防止するための圧力解除部１４，１５が設けられている。
【００１６】
即ち、各密封シート１０，１３は外周に開封用のつまみ部１０ｂ，１３ｂが設けられており、圧力解除部１４，１５は図２〜図４に示すように、そのつまみ部１０ｂ，１３ｂを通るように密封シート１０，１３に形成された直径方向のハーフカット部１０ｃ，１３ｃにより構成されている。なお、ハーフカット部１０ｃ，１３ｃは直径方向の略全長に連続状に形成してもよいし、点線状等に間欠的に設けてもよい。またハーフカット部１０ｃ，１３ｃは、つまみ部１０ｂ，１３ｂを通らないように設けても良い。
【００１７】
このような構成の調理済み食品収容体Ｂは、容器本体１に主調理済み食品３を、蓋体２に副調理済み食品４を夫々装入して、その開口側を密封シート１０，１３で密封しているので、各種の調理済み食品３，４を装入でき、種類による制約を少なくできる。また開口側を密封シート１０，１３で密封しているため、非常に衛生的であると共に、物流段階での各調理済み食品３，４のこぼれ等を防止できる。
【００１８】
製造時には、容器本体１に主調理済み食品３を、蓋体２に副調理済み食品４を夫々装入した後、容器本体１、蓋体２の開口側に密封シート１０，１３を貼着して密封する。このとき密封シート１０，１３の周縁部１０ａ，１３ａを容器本体１の開口縁部９、蓋体２の内周面等に加熱状態で押圧することにより、密封シート１０，１３の周縁部１０ａ，１３ａを容器本体１、蓋体２に容易に易剥離接着することができる。そして、その後、容器本体１の開口側に蓋体２を装着し、全体を包装材５によりシュリンク包装等を行う。
【００１９】
このようにして製造した調理済み食品収容体Ｂは、調理済み食品３，４の状況に応じて、その後、冷凍、冷蔵又は常温で保存する。
【００２０】
また調理済み食品３，４の食事に際しては、包装材５を剥いで蓋付き容器Ａを取り出し、容器本体１側と蓋体２側とに分離した後、その開口側を上向きにして電子レンジ内に入れて、電子レンジにより各調理済み食品３，４を再加熱する。この場合、容器本体１、蓋体２は密封状態であるため、各調理済み食品３，４の加熱により内圧が上昇する。しかし、所定圧力になれば、ハーフカット部１０ｃ，１３ｃの一部又は全部が破れて圧力解除部１４，１５が開放し、内圧の上昇による破裂等を未然に防止できる。従って、電子レンジにより調理済み食品３，４を容易且つ安全に再加熱できる。
【００２１】
再加熱後、各密封シート１０，１３を剥離して開封する。この場合、ハーフカット部１０ｃ，１３ｃがつまみ部１０ｂ，１３ｂの略中央等を通るように直径方向にあるため、つまみ部ｂ，１３ｂを持って密封シート１０，１３を剥離するときに、ハーフカット部１０ｃ，１３ｃの両側で密封シート１０，１３が２つに分離するようなことがあっても、密封シート１０，１３を容器本体１、蓋体２から容易に剥離でき、密封シート１０，１３の一部が容器本体１、蓋体２等に残ることがない。主調理済み食品３、副調理済み食品４を食べるときには、容器本体１、蓋体２をそのままで食器として利用できる。
【００２２】
図５はカレーライス、ハヤシライス等のご飯系の主調理済み食品３と、そのトッピング用の唐揚げ等の副調理済み食品４とが封入された調理済み食品収容体Ｂの第２の実施例を例示する。
【００２３】
主調理済み食品３がカレーライス、ハヤシライス等の場合には、容器本体１には夫々が所定厚さとなるようにカレールー等のルー３ａ、ご飯３ｂ、ルー３ａの順序でサンドイッチ状に入れておく。
【００２４】
このようにサンドイッチ状の３層構造にすれば、主調理済み食品３がカレーライス、ハヤシライス等であって、食事の前にルー３ａとご飯３ｂとを容器本体１内で混ぜ合わせる必要があるときにも、それらを箸、スプーン等により容易に混ぜることができる。主調理済み食品３、副調理済み食品４は冷凍用、冷蔵用、常温用の何れでもよい。なお、その他の構成は第１の実施例と同じである。また主調理済み食品３が牛丼、マーボー丼等でもよい。
【００２５】
図６は麺類３ｃの主調理済み食品３と麺類３ｃ用の麺つゆ、スープ等の副調理済み食品４とが封入された調理済み食品収容体Ｂの第３の実施例を例示する。
【００２６】
主調理済み食品３は麺類３ｃであって、例えばざるそば、ざるうどん、冷しうどん、冷しそうめん、冷し中華、冷しラーメン等がある。そして、麺類３ｃの上には、薬味３ｄが直接又は袋等に入れて装入されている。副調理済み食品４は主調理済み食品３用の麺つゆ４ｄ、スープ等である。主調理済み食品３、副調理済み食品４は冷凍用、冷蔵用、常温用の何れでもよい。
【００２７】
なお、調理済み食品３，４が冷凍処理済みであって、その解凍に電子レンジを使用する等、何らかの段階で電子レンジを使用する必要がある場合には、容器本体１、蓋体２、密封シート１０，１３には、第１の実施例と同様に電子レンジ対応型のものを使用する。電子レンジを使用する必要がなければ、容器本体１、蓋体２に紙製のものを使用する等、容器本体１、蓋体２、密封シート１０，１３に電子レンジ対応型以外の材料を使用でき、また圧力解除部１４，１５も不要である。
【００２８】
この場合には、密封シート１０，１３を剥離して容器本体１、蓋体２を夫々開封すれば、容器本体１、蓋体２を食器として利用しながら、ざるそば等を手軽に食べることができる。例えば、主調理済み食品３がざるそばの場合には、蓋体２を付けつゆの器として利用できる。
【００２９】
図７、図８はおかゆ等の主調理済み食品３とおかず等の副調理済み食品４とが封入された調理済み食品収容体Ｂの第４の実施例を例示する。このような場合にも、前述の各実施例と同様に実施できる。蓋体２の開口縁部１６は容器本体１の開口縁部９に係脱自在に係合し、装着状態の蓋体２が容器本体１から不用意に脱落しないように蓋体２を固定可能である。なお、容器本体１と蓋体２は、その開口縁部９，１６を合わせた状態で上下方向に押圧することにより、その開口縁部９，１６が互いに嵌合するようになっている。
【００３０】
容器本体１には各種のおかゆ、おこわ又はご飯等の主調理済み食品３が装入され、前述と同様に密封シート１０により密封されている。なお、この密封シート１０は、主調理済み食品３の種類によっては略してもよい。また朝食用の場合には、主調理済み食品３は胃に負担の少ない食材が適当である。
【００３１】
蓋体２内は、その内部に設けられた十字状、Ｙ字状、その他の仕切り部材１７により複数個の収容部１８に区画され、その各収容部１８に異なる副調理済み食品４が装入され、各実施例と同様に副調理済み食品４がこぼれないように密封シート１３で密封されている。副調理済み食品４は主調理済み食品３に応じて各種の漬け物、焼き魚、玉子焼き等である。各密封シート１０，１３には圧力解除部１４，１５が形成されている。
【００３２】
図９〜図１１は調理済み食品収容体Ｂの第５の実施例を例示する。この実施例では、容器本体１の開口縁部９と、この開口縁部９に易剥離接着剤等を介して易剥離可能に貼着された密封シート１０との貼着部分、蓋体５の貼着段部１９と、この貼着段部１９に易剥離接着剤等を介して易剥離可能に貼着された密封シート１３との貼着部分に圧力解除部１４，１５が夫々設けられている。
【００３３】
この圧力解除部１４，１５は、例えば図１０、図１１に開口縁部９側を例示するように、密封シート１０，１３の開口縁部９、貼着段部１９に対する貼着面積が他の部分よりも少なくなっており、その部分の貼着力を他の部分よりも小さくすることにより構成している。
【００３４】
即ち、開口縁部９、貼着段部１９には圧力解除部１４，１５に対応してすじ状等の凹凸部１４ａ，１５ａが形成され、その部分の密封シート１０の貼着面積が、平滑状又は周方向のすじ状等により形成される他の貼着部９ａ，１９ａの貼着面積よりも少なくなっている。従って、圧力解除部１４，１５での密封シート１０，１３の貼着力は他の部分のそれよりも小さく、電子レンジによる調理済み食品３，４の再加熱時に、容器本体１、蓋体２内の内圧が上昇すれば、他の部分よりも容易に早く剥離して開放するようになっている。
【００３５】
図１２は容器本体１と蓋体２との結合構造の第６の実施例を例示する。図１２（Ａ）では、容器本体１の開口縁部９が、蓋体２の開口側の雌ねじ部２０に螺合されている。図１２（Ｂ）では、容器本体１の開口側の外周、蓋体２の開口側の内周に夫々上下方向に１個又は複数個の凸条２１，２２が形成され、容器本体１と蓋体２とを上下方向に押圧したときに、両者の凸条２１，２２が係合するようになっている。このように容器本体１と蓋体２の結合構造は、適宜選択すればよい。
【００３６】
以上、本考案の実施例について詳述したが、本考案はこの実施例に限定されるものではなく、種々の変更が可能である。例えば、容器本体１、蓋体２は電子レンジ対応型の合成樹脂製のものの他、常温、又は冷却して食べる調理済み食品を対象にする場合には、防水処理済みの紙容器、紙蓋を使用しても良い。また容器本体１、蓋体２の何れか一方を電子レンジ対応型とし、他方を非電子レンジ対応型としてもよい。
【００３７】
容器本体１に装入する主調理済み食品３、蓋体２に装入する副調理済み食品４は、各実施例に例示のものの他、何を装入してもよい。ただし、一般的には、蓋体２側の副調理済み食品４は、容器本体１側の主調理済み食品３に応じた食材であることが望ましい。
【００３８】
また各実施例では、容器本体１側の食材を主調理済み食品３とし、蓋体２側の食材を副調理済み食品４としているが、これは相対的な関係であり、必ずしも主調理済み食品３の食事に対して通常必要な食材を副調理済み食品４とするものではない。従って、蓋体２内に少量のご飯を装入し、容器本体１に味噌汁を装入する場合には、味噌汁が主調理済み食品３となり、ご飯が副調理済み食品４となる。
【００３９】
容器本体１、蓋体２の形状等は自在に変更可能である。また仕切りが必要な場合には、蓋体２に一体に形成してもよい。
【図面の簡単な説明】
【００４０】
【図１】本考案の第１の実施例を示す断面図である。
【図２】本考案の第１の実施例を示す容器本体側の斜視図である。
【図３】本考案の第１の実施例を示す蓋体側の斜視図である。
【図４】本考案の第１の実施例を示す密封シートの拡大断面図である。
【図５】本考案の第２の実施例を示す断面図である。
【図６】本考案の第３の実施例を示す断面図である。
【図７】本考案の第４の実施例を示す断面図である。
【図８】本考案の第４の実施例を示す蓋体側の斜視図である。
【図９】本考案の第５の実施例を示す断面図である。
【図１０】本考案の第５の実施例を示す容器本体側の斜視図である。
【図１１】本考案の第５の実施例を示す容器本体側の断面図である。
【図１２】本考案の第６の実施例を示す結合構造の断面図である。
【符号の説明】
【００４１】
１  容器本体
２  蓋体
３  主調理済み食品
４  副調理済み食品
１０，１３  密封シート
【図１】
0003113281.tif 000003
【図２】
0003113281.tif 000004
【図３】
0003113281.tif 000005
【図４】
0003113281.tif 000006
【図５】
0003113281.tif 000007
【図６】
0003113281.tif 000008
【図７】
0003113281.tif 000009
【図８】
0003113281.tif 000010
【図９】
0003113281.tif 000011
【図１０】
0003113281.tif 000012
【図１１】
0003113281.tif 000013
【図１２】
0003113281.tif 000014